(57)【要約】【課題】  嵩張らないコンパクトな可動機構を備えると共に、塵埃が可動機構に付着するのを防ぐことができるフィルター清掃装置を提供する。【解決手段】  フィルター清掃装置１０の可動機構７は、操作レバー７ａと、操作レバー７ａから伝達される運動を清掃体に伝達する運動伝達部材７ｂと、塵埃排出抑制体６に形成されると共に閉動作時に操作レバー７ａを押す押圧部６ｃとを備えており、操作レバー７ａの長手方向と、運動伝達部材７ｂの厚み方向に直交する方向は、清掃装置本体２の外側面２ａに対して平行となるように設置されている。【選択図】図５
2018068765.tif 000002
【特許請求の範囲】
【請求項１】
フィルター清掃装置は、
清掃装置本体と、
通風から塵埃を捕集可能なフィルター体と、
清掃体と、
前記フィルター体に捕集された塵埃の外部への排出を防ぐと共に、開閉可動する塵埃排出抑制体と、
前記塵埃排出抑制体を可動する可動機構と、を有し、
前記可動機構は、操作レバーと、該操作レバーから伝達される運動を前記清掃体に伝達する運動伝達部材と、前記塵埃排出抑制体に形成されると共に閉動作時に前記操作レバーを押す押圧部と、を備えており、
前記操作レバーを押すことによって、前記清掃体が前記フィルター体を清掃すると同時に、前記塵埃排出抑制体を開動作させるものであって、
前記塵埃排出抑制体の閉動作時に、前記押圧部が前記操作レバーを押すことによって前記清掃体を初期位置に戻すものであり、
前記可動機構は、前記清掃装置本体の外側面に設置されると共に、前記操作レバーの長手方向と、前記運動伝達部材の厚み方向に直交する方向は、前記清掃装置本体の前記外側面に対して平行となるように設置されていることを特徴とするフィルター清掃装置。
【請求項２】
運動伝達部材は、操作レバーから伝達される直線運動を回転運動に変換させるものであって、可動機構は、清掃装置本体の１つの外側面のみに設置されていることを特徴とする請求項１に記載のフィルター清掃装置。
【請求項３】
運動伝達部材は、平歯車を有し、操作レバーは、ラックギアを有するものであって、可動機構の厚みは、前記平歯車の厚み又は、前記操作レバーの厚みのいずれか大きい方と同じであることを特徴とする請求項２に記載のフィルター清掃装置。
【請求項４】
運動伝達部材が操作レバーに作用する作用部と、前記操作レバーが塵埃排出抑制体の押圧部に作用する作用部は、同一平面上にあることを特徴とする請求項１〜３のいずれか１項に記載のフィルター清掃装置。
【請求項５】
塵埃排出抑制体は、回動して開閉可動すると共に、押圧部が曲面を備えていることを特徴とする請求項１〜４のいずれか１項に記載のフィルター清掃装置。
【請求項６】
槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜５のいずれか１項に記載のフィルター清掃装置を備えたことを特徴とする衣類乾燥機。
【発明の詳細な説明】
【技術分野】
【０００１】
本発明は、フィルターに付着した塵埃を除去するためのフィルター清掃装置と、このフィルター清掃装置を備えた衣類乾燥機に関するものである。
【背景技術】
【０００２】
従来から、塵埃を捕集するフィルターが設置され、このフィルターに付着した塵埃を除去するためのフィルター清掃装置が知られている（特許文献１）。
【０００３】
特許文献１のフィルター清掃装置は、電気掃除機に備えられたものであって、本体前ケースの所定位置に着脱自在とするポリ袋を配設し、このポリ袋に塵埃を収容するために、第１のプリフィルターを、ポリ袋を後方より被覆する蓋と一体に設け、且つ回動自在にすると共に、この蓋が開いた時に第１のプリフィルターの塵埃をポリ袋に収容し、且つ第２のプリフィルターを本体前ケースの内壁面上に設け、この第２のプリフィルターに第１のプリフィルターが摺接する構成としている（特許文献１の図７参照）。
【先行技術文献】
【特許文献】
【０００４】
【特許文献１】特開昭５４−７０６５１号公報
【発明の概要】
【発明が解決しようとする課題】
【０００５】
しかしながら、上記特許文献１に記載のフィルター清掃装置は、蓋と、蓋の動きに連動する第１のプリフィルターの連結機構が本体前ケースの内部に位置しているため、塵埃が連結機構に付着して不具合の原因となる可能性を有していた。
【０００６】
本発明は、前記従来の課題を解決するものであり、嵩張らないコンパクトな可動機構を備えると共に、塵埃が可動機構に付着するのを防ぐことができるフィルター清掃装置と、このフィルター清掃装置を備えた衣類乾燥機を提供することを目的とする。
【課題を解決するための手段】
【０００７】
前記従来の課題を解決するために、請求項１のフィルター清掃装置の発明は、フィルター清掃装置は、清掃装置本体と、通風から塵埃を捕集可能なフィルター体と、清掃体と、前記フィルター体に捕集された塵埃の外部への排出を防ぐと共に、開閉可動する塵埃排出抑制体と、前記塵埃排出抑制体を可動する可動機構と、を有し、前記可動機構は、操作レバーと、該操作レバーから伝達される運動を前記清掃体に伝達する運動伝達部材と、前記塵埃排出抑制体に形成されると共に閉動作時に前記操作レバーを押す押圧部と、を備えており、前記操作レバーを押すことによって、前記清掃体が前記フィルター体を清掃すると同時に、前記塵埃排出抑制体を開動作させるものであって、前記塵埃排出抑制体の閉動作時に、前記押圧部が前記操作レバーを押すことによって前記清掃体を初期位置に戻すものであり、前記可動機構は、前記清掃装置本体の外側面に設置されると共に、前記操作レバーの長手方向と、前記運動伝達部材の厚み方向に直交する方向は、前記清掃装置本体の前記外側面に対して平行となるように設置されていることを特徴としている。
【０００８】
請求項１の発明では、可動機構は、清掃装置本体の外側面に設置されているので、塵埃が可動機構に付着するのを防ぐことができる。また、操作レバーの長手方向と、運動伝達部材の厚み方向に直交する方向は、清掃装置本体の外側面に対して平行となるようにしたことから、嵩張らないコンパクトな可動機構とすることができ、フィルター清掃装置を小型化することができる。
【０００９】
請求項２のフィルター清掃装置の発明は、請求項１の発明において、運動伝達部材は、操作レバーから伝達される直線運動を回転運動に変換させるものであって、可動機構は、清掃装置本体の１つの外側面のみに設置されていることを特徴としている。したがって、清掃装置本体の２つの外側面に設置されている可動機構と比較した場合に、薄型化することができ、部品点数を減らすことができると共に、フィルター清掃装置を小型化することができる。
【００１０】
請求項３のフィルター清掃装置の発明は、請求項２の発明において、運動伝達部材は、平歯車を有し、操作レバーは、ラックギアを有するものであって、可動機構の厚みは、前記平歯車の厚み又は、前記操作レバーの厚みのいずれか大きい方と同じであることを特徴としている。したがって、可動機構を一層薄型化することができ、フィルター清掃装置を小型化することができる。
【００１１】
請求項４のフィルター清掃装置の発明は、請求項１〜３のいずれかの発明において、運動伝達部材が操作レバーに作用する作用部と、前記操作レバーが塵埃排出抑制体の押圧部に作用する作用部は、同一平面上にあることを特徴としている。したがって、可動機構を一層薄型化することができ、フィルター清掃装置を小型化することができる。
【００１２】
請求項５のフィルター清掃装置の発明は、請求項１〜４のいずれかの発明において、塵埃排出抑制体は、回動して開閉可動すると共に、押圧部が曲面を備えていることを特徴としている。したがって、塵埃排出抑制体が回転する時の力を直接、操作レバーに伝達することができる。
【００１３】
請求項６の衣類乾燥機の発明は、槽体内に回転自在に配置され衣類などを収容する回転ドラム内に、送風手段及び加熱手段により発生した温風を、循環ダクトを経て循環供給して衣類を乾燥可能とするとともに、前記循環ダクトの前記槽体からの排気側に請求項１〜５のいずれか１項に記載のフィルター清掃装置を備えたことを特徴としている。したがって、塵埃が可動機構に付着するのを防ぐことができると共に、可動機構を薄型化してフィルター清掃装置を小型化することができる衣類乾燥機を提供することができる。
【発明の効果】
【００１４】
請求項１のフィルター清掃装置の発明は、塵埃が可動機構に付着するのを防ぐことができると共に、嵩張らないコンパクトな可動機構とすることができ、フィルター清掃装置を小型化することができる。請求項２〜４の発明は、可動機構を一層薄型化することができ、フィルター清掃装置を小型化することができる。請求項５の発明は、塵埃排出抑制体が回転する時の力を直接、操作レバーに伝達することができる。
【００１５】
また、請求項６の衣類乾燥機の発明は、塵埃が可動機構に付着するのを防ぐことができると共に、可動機構を薄型化してフィルター清掃装置を小型化することができる衣類乾燥機を提供することができる。
【図面の簡単な説明】
【００１６】
【図１】本発明に係る衣類乾燥機を示す斜視図
【図２】本発明に係る衣類乾燥機の内部構成を示す断面図
【図３】（ａ）本発明に係る第１実施形態のフィルター清掃装置の外観を示す斜視図（ｂ）本発明に係る第１実施形態のフィルター清掃装置の内部構造を示す斜視図
【図４】（ａ）〜（ｃ）本発明に係るフィルター清掃装置を構成する可動手段の動作を示す説明図
【図５】（ａ）本発明に係る第１実施形態のフィルター清掃装置を底面方向から見た図（ｂ）図５（ａ）のＢ−Ｂ断面図
【図６】本発明に係る第１実施形態のフィルター清掃装置の清掃動作を示す説明図
【図７】本発明に係る第１実施形態のフィルター清掃装置の清掃動作を示す説明図
【図８】本発明に係第２実施形態のフィルター清掃装置を示す説明図
【発明を実施するための形態】
【００１７】
以下、本発明の実施形態について、図面を参照しながら説明する。なお、この実施の形態によって本発明が限定されるものではない。
【００１８】
図１は、本発明に係る衣類乾燥機を示す斜視図であり、図２は、同衣類乾燥機の内部構造を示す断面図である。これらの図を用いて本発明に係る衣類乾燥機について説明する。本発明に係る衣類乾燥機２０は、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置１０が設置されている。
【００１９】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、衣類乾燥機２０は、ドラム式としているが、これに限定するものではなく、例えば縦型など様々の方式を採用することができる。
【００２０】
図３（ａ）は、本発明に係る第１実施形態のフィルター清掃装置の外観を示す斜視図であり、図３（ｂ）は、図３（ａ）のＡ−Ａ断面により、本発明に係る第１実施形態のフィルター清掃装置の内部構造を示す斜視図である。図３を用いて本発明に係るフィルター清掃装置の第１実施形態を以下に説明する。
【００２１】
フィルター清掃装置１０は、清掃装置本体２と、通風から塵埃を捕集可能な一部が円弧状のフィルター体１を有している。また、回動軸３ａと、側部に塵埃を掻き上げるための突起３ｇが形成されたブレード３ｂと、このブレード３ｂを回動させる基台３ｃとを備え、フィルター体１に沿って可動（往復回動）し、フィルター体１に付着した塵埃を除去する清掃体３を有している。
【００２２】
そして、清掃体３の一方の端部３ｆから清掃体の他方の端部３ｄまでの長さは、清掃体３の一方の端部３ｆからフィルター体１のフィルター面１２までの最短距離よりも長く、基台３ｃの先端には、往路における清掃体３の進行方向に対してブレード３ｂの後方側に当接する支持部３ｅが形成されていて、ブレード３ｂは往路において、進行方向後方に屈曲又は湾曲した状態でフィルター体１に当接する。また、ブレード３ｂの材質としてエラストマーを使用しているが、これに限定されるものではなく、ゴム、軟質樹脂、発泡樹脂、不織布、などでもよく、またこれらの複合材でもよい。
【００２３】
また、ブレード３ｂは、往路の終端近傍においてフィルター体１から離れることによって、屈曲又は湾曲した状態から解放される（初期状態に戻る）構成としている。このように構成されたフィルター清掃装置１０は、清掃体３の一方の端部３ｆから清掃体の他方の端部３ｄまでの長さを、清掃体３の一方の端部３ｆからフィルター体１のフィルター面１２までの最短距離よりも長くしたことにより、ブレード３ｂは、往路において進行方向後方に屈曲又は湾曲した状態でフィルター体１に当接することとなるので、往路の終端近傍でブレード３ｂの復元力によって、塵埃を弾き飛ばすことができると共にブレードの先端に塵埃が残ることを抑制できる。また、往路におけるブレード３ｂの進行方向後方側に当接する支持部３ｅが形成されているので、ブレード３ｂがフィルター体１に付着した塵埃を掻き取る効果を高めることができる。
【００２４】
また、図３（ｂ）において清掃装置本体２は、ブレード３ｂがフィルター体１に摺接していない清掃体３の初期位置において、ブレード３ｂの先端部を収容する凹部４を備えている。これにより、ブレード３ｂが塵埃９の表面を上滑りすること無く、ブレード３ｂの突起３ｇがフィルター体に積層した塵埃の一方の端部に当接して掻き上げるようにしている。
【００２５】
また、フィルター清掃装置１０は、塵埃を排出するための塵埃排出口５を備えている。この塵埃排出口５は、フィルター体１に捕集された塵埃の外部への排出を防ぐと共に開閉可動する塵埃排出抑制体６が設置されている。この塵埃排出抑制体６は、塵埃の外部への排出を防ぐために、格子状に設置された長板６ａ、６ｂを備えている。これにより、使用者がフィルター清掃装置１０を衣類乾燥機２０から取り外し、ゴミ箱等の所定の廃棄場所まで運ぶ際に塵埃がこぼれ落ちることを抑制できる。また、塵埃排出抑制体６は、フラップ６ｄを備えている。このプラップ６ｄは、清掃体３の回動軸３ａに塵埃が付着しないように気流を下方向に誘導している。
【００２６】
また、フィルター清掃装置１０は、塵埃排出抑制体６を可動すると共に、清掃体３と連結し、清掃体３を可動させるための可動機構７を備えており、この可動機構７は、清掃装置本体２の１つの外側面２ａに設置されている。したがって、塵埃が可動機構７に付着するのを防ぐことができる。
【００２７】
次に、図４（ａ）〜（ｃ）を用いて、本発明に係るフィルター清掃装置１０を構成する可動機構７の動作を説明する。可動機構７は、操作レバー７ａと、操作レバー７ａから伝達される運動を清掃体３（図３参照）に伝達する運動伝達部材７ｂと、塵埃排出抑制体６に形成されると共に閉動作時に操作レバー７ａを押す押圧部６ｃとを備えており、操作レバー７ａを押すことによって、清掃体３がフィルター体１（図３参照）を清掃すると同時に、塵埃排出抑制体６を開動作させるものであって、塵埃排出抑制体６の閉動作時に、押圧部６ｃが操作レバー７ａを押すことによって清掃体３を初期位置に戻すものである。
【００２８】
また、可動機構７は、清掃装置本体２の１つの外側面に設置されると共に、操作レバー７ａの長手方向と、運動伝達部材７ｂの厚み方向に直交する方向は、清掃装置本体２の外側面２ａに対して平行となるように設置されている。尚、後述するように、操作レバー７ａは、清掃体３の回動軸３ａに対して直交する方向に往復動が可能としている（図５参照）。
【００２９】
具体的には、操作レバー７ａは、ラックギアを有し、運動伝達部材７ｂは、平歯車を有しており、この平歯車の回転中心は、回動軸３ａの回動中心と一致するよう形成されている。運動伝達部材７ｂは、操作レバー７ａから伝達される直線運動を回転運動に変換させるものであり、平歯車に伝達された動力は回動軸３ａを通じて清掃体３を回動させる。このように運動伝達部材７ｂに平歯車を用いて清掃体３を回動させる機構としたことで、１つの外側面２ａのみに可動機構７を形成するだけで安定した清掃動作が実現できる。もし、運動伝達部材７ｂに平歯車を用いず、清掃体３を直線運動によって清掃動作させた場合は、清掃体３を挟んだ２つの外側面で支える必要があり、可動機構７は複雑なものとなってしまう。そして、図４（ａ）に示した初期位置から、操作レバー７ａを図面上左方向に押すと、操作レバー７ａの先端と接触している塵埃排出抑制体６の押圧部６ｃが図面上左方向に押され、塵埃排出抑制体６の一方の端部が連結している回動軸８回りに回転して図４（ｂ）に示す状態となる。
【００３０】
そして、図４（ｂ）に示す状態から、塵埃排出抑制体６を図面上時計回りに回転させることによって、図４（ｃ）に示す押圧部６ｃが操作レバー７ａの先端と接触する状態となり、更に押圧部６ｃが操作レバー７ａを押すことによって図４（ａ）に示す初期位置へと復帰する。ここで、押圧部６ｃは、先端に曲面６ｅを備えているものであり、塵埃排出抑制体６の開閉時に、曲面６ｅが操作レバー７ａの曲面７ｃに当接することとなる。したがって、塵埃排出抑制体６が回転する時の力を直接、操作レバー７ａに伝達することができる。また、押圧部６ｃは、先端に曲面６ｅを備えていることで、閉動作時において操作レバー７ａの曲面７ｃに当接する際に、曲面で滑るように当接するため、異音の発生やガタつきを抑制することができる。好ましくは、図５（ｂ）に示すように、押圧部６ｃの先端部及び操作レバーの作用部７ｅが双方とも曲面を有し、且つその曲面は略同一であると上記の効果がより一層発揮される。
【００３１】
図５（ａ）は、本発明に係る第１実施形態のフィルター清掃装置を底面方向から見た図であり、図５（ｂ）は図５（ａ）のＢ−Ｂ断面図である。尚、図５（ａ）においては、可動機構７を覆うカバーは省略している。図５に示すように、フィルター清掃装置１０は、操作レバー７ａの長手方向と、運動伝達部材７ｂの厚み方向に直交する方向は、清掃装置本体２の外側面２ａに対して平行となるように設置されている。また、可動機構７の厚みＣは、運動伝達部材７ｂを構成する平歯車の厚み又は、操作レバー７ａの厚みのいずれか大きい方（図５の場合は操作レバー７ａの厚み）と同じにしている。更に、運動伝達部材７ｂが操作レバー７ａに作用する作用部７ｄと、操作レバー７ａが塵埃排出抑制体６の押圧部６ｃに作用する作用部７ｅは、図５（ｂ）に示す通り同一平面上に位置するようにしている。したがって、可動機構７を薄型化することができる。また第１実施形態においては、操作レバー７ａを使用者が手で押す手動の機構となっているため、モータなどの動力を用いた場合と比較して、部品点数が少なく、また故障する恐れが極めて少ない。これは衣類乾燥機１０においては、使用後にその都度塵埃９の廃棄をすることが推奨されているため、使用者にとって大きなメリットとなり得る。
【００３２】
図６は、往路における第１実施形態のフィルター清掃装置の清掃動作を示している。往路における初期位置では、清掃体３のブレード３ｂは、凹部４に収容されている。そして、清掃体３を図面上、時計回りに回転させることによって、ブレード３ｂは、凹部４から移動してフィルター体１に当接することとなる。なお、ブレード３ｂが凹部４に収容されている時、可動機構７は図４（ａ）の状態であり、操作レバー７ａを図面上左側に押し込むにつれて清掃体３が回動してフィルター体１を清掃する。
【００３３】
フィルター体１に当接している状態のブレード３ｂは、進行方向に対して後方側に屈曲又は湾曲した状態となっている。そして、往路の終端近傍においてフィルター体１から離れることによって、ブレード３ｂは、屈曲又は湾曲状態から解放されると共に、塵埃９は、塵埃排出口５から外部へと弾き出されることとなる。この時、可動機構７は図４（ｂ）の状態であり、塵埃排出抑制体６は開いている。このように構成することで、使用者はゴミ箱等の所定の廃棄場所に塵埃を捨てる際に、ブレード３ｂの復元力によって、塵埃を弾き飛ばすので確実に廃棄場所まで移送する事ができる。
【００３４】
図７は、復路における第１実施形態のフィルター清掃装置の清掃動作を示しており、この時、可動機構７は図４（ｃ）の状態から図４（ａ）に示す初期状態へと復帰している。復路において清掃体３は、ブレード３ｂが屈曲又は湾曲状態から解放された状態から、フィルター体１に当接することによって、進行方向に対して後方側にブレード３ｂの根元近傍を支点として緩やかに屈曲又は湾曲した状態となる。これは、清掃体３が復路における進行方向に対してブレード３ｂの前方側に当接する支持部３ｅを備えているが、後方側には支持部３ｅが形成されていないからである。また、ブレード３ｂは一方の端部が基台３ｃに固定されているが、支持部３ｅには固定されていない。したがって、フィルター体１に当接した状態のブレード３ｂは、往路と復路とでは屈曲方向と屈曲の支点及び角度が異なるようになるのである。そのため、往路では支持部３ｅの先端を支点にブレード３ｂが略Ｌ字状に大きな角度で屈曲又は湾曲するので、フィルター体１へのブレード３ｂの当たりが強くなる。したがって、除塵効率が向上すると共に、往路の終端近傍で塵埃９を弾き飛ばす力を強くすることができる。
【００３５】
また、復路において撓んだ状態のブレード３ｂが凹部４に位置することによって、撓みが無くなり、元の状態へと戻すことができる。もし、凹部４を形成しないと、復路から往路へと切替える時に、ブレード３ｂが復路における進行方向の後方側に屈曲した状態から、前方側に屈曲した状態にする必要がある。そのため、使用者が操作レバー７ａを押す時に大きな力が必要となると共に、ブレード３ｂとフィルター体１に大きな負荷が掛かってしまう。そこで、初期位置において凹部４を形成することで、復路から往路への切替えを軽い力で行うことができると共に、ブレード３ｂとフィルター体１の耐久性が向上する。
【００３６】
図８は、本発明に係る第２実施形態のフィルター清掃装置を示す説明図である。図８に示すフィルター清掃装置１０ａは、清掃装置本体２Ａと、通風から塵埃を捕集可能なフィルター体１Ａと、側部に塵埃を掻き上げるための突起１１ｇが形成されたブレード１１ｂを備え、フィルター体１Ａに沿って可動し、フィルター体１Ａに付着した塵埃９を除去する清掃体１１とを有している。
【００３７】
また、清掃体１１の一方の端部１１ｆから他方の端部１１ｄまでの長さは、清掃体１１の一方の端部１１ｆからフィルター体１Ａのフィルター面１２までの最短距離よりも長くしている。また、基台１１ｃの先端には、往路における清掃体１１の進行方向に対してブレード１１ｂの後方側に当接する支持部１１ｅが形成されていて、ブレード１１ｂは往路において、進行方向後方に屈曲又は湾曲した状態でフィルター体１Ａに当接する。
【００３８】
そして、清掃装置本体２Ａは、ブレード１１ｂがフィルター体１Ａに摺接していない清掃体１１の初期位置において、ブレード１１ｂの先端部を収容する凹部４ｃを備えると共に、ブレード１１ｂの先端部が凹部４ｃに収容されている状態で、突起１１ｇの一部は、フィルター面１２と同一の高さ位置におけるブレード１１ｂの側部からブレード１１ｂの先端１１ｄまでの間に形成されている。また、ブレード１１ｂがフィルター体１Ａに摺接していない清掃体１１の往路終点位置において、ブレード１１ｂの先端部を収容する凹部４ｄを備えている。この凹部４ｄによって、ブレード１１ｂの屈曲又は湾曲した状態が解放することができるので、塵埃９を弾き飛ばして塵埃排出口５から排出することができる。
【００３９】
上記第２実施形態のフィルター清掃装置１０ａの可動機構は図示していないが、運動伝達部材に大小２つの平歯車を回転軸で連結したものを使用すると共に、一方の小さな平歯車を清掃体側に設けたラックと噛合わせ、他方の大きな平歯車を操作レバーに設けたラックと噛合わせることによって、操作レバーの直線運動を回転運動に変換した後、さらに直線運動に変換することができ、清掃体１１を大きく直線運動させることが可能となる。
【産業上の利用可能性】
【００４０】
本発明に係るフィルター清掃装置は、フィルターに付着した塵埃を除去するために利用されるものである。また、本発明に係る衣類乾燥機は、フィルター清掃装置を備えた衣類乾燥機として利用される。
【符号の説明】
【００４１】
１、１Ａ  フィルター体
２、２Ａ  清掃装置本体
２ａ  外側面
３、１１  清掃体
３ａ  回動軸
３ｂ、１１ｂ  ブレード
３ｃ、１１ｃ  基台
３ｄ、１１ｄ  清掃体の他方の端部
３ｅ、１１ｅ  支持部
３ｆ、１１ｆ  清掃体の一方の端部
３ｇ、１１ｇ  突起
４、４ｃ、４ｄ  凹部
５  塵埃排出口
６  塵埃排出抑制体
６ａ、６ｂ  長板
６ｃ  押圧部
６ｄ  フラップ
６ｅ  押圧部の曲面
７  可動機構
７ａ  操作レバー
７ｂ  運動伝達部材
７ｃ  操作レバーの曲面
７ｄ、７ｅ  作用部
８  回動軸
９  塵埃
１０、１０ａ  フィルター清掃装置
１２  フィルター面
２０  衣類乾燥機
２０ａ  ドア
２０ｂ  回転ドラム
２０ｃ  モータ
２０ｄ  槽体
２１ａ、２１ｂ、２１ｃ  循環ダクト
２２  加熱手段
２３  送風手段（ファン）
Ｃ  可動機構の厚み
【図１】
2018068765.tif 000003
【図２】
2018068765.tif 000004
【図３】
2018068765.tif 000005
【図４】
2018068765.tif 000006
【図５】
2018068765.tif 000007
【図６】
2018068765.tif 000008
【図７】
2018068765.tif 000009
【図８】
2018068765.tif 000010